(57)【特許請求の範囲】
【請求項１】
第１ハウジングと第２ハウジングとを低挿脱力で着脱するためのコネクタ嵌合治具であって、
治具本体と、
前記治具本体に設けられた第１回転支軸により基端部が回転可能に支持され、自由端部に形成された係止部が前記第１ハウジング及び前記第２ハウジングにそれぞれ形成された第１係合部又は第２係合部の被係止部に対して引き上げ方向に係止可能な第１支持軸と、
前記治具本体に設けられた第２回転支軸により基端部が回転可能に支持され、自由端部に形成された押圧部が前記第２ハウジング及び前記第１ハウジングにそれぞれ形成された第２係合部又は第１係合部の被押圧部に対して当接可能な第２支持軸と、を備え、
前記第１支持軸の係止部を支点として前記第２支持軸を押し下げることにより、前記第１ハウジングと前記第２ハウジングをコネクタ嵌合方向に沿って相対移動させることを特徴とするコネクタ嵌合治具。
【請求項２】
前記治具本体が、前記第２回転支軸を挟んで前記第１回転支軸の反対側に延設された取っ手部を有することを特徴とする請求項１に記載のコネクタ嵌合治具。
【請求項３】
第１ハウジングと第２ハウジングとが低挿脱力で着脱される低挿入力コネクタであって、
前記第１ハウジングの嵌合面側に突設され、前記第２ハウジングのコネクタ嵌合方向に貫設された軸孔を貫通する貫通軸と、前記貫通軸の貫通先端部に設けられた第１係合部に形成された被係止部と、
前記軸孔が開口された前記第２ハウジングの外表面に設けられた第２係合部に形成された被押圧部と、を備え、
前記第１係合部の被係止部を支点として前記第２係合部の被押圧部が押し下げられることにより、前記第２ハウジングがコネクタ嵌合方向に移動することを特徴とする低挿入力コネクタ。
【請求項４】
前記第２係合部に形成された被係止部が、前記第１係合部に形成された被押圧部を支点として引き上げられることにより、前記第２ハウジングがコネクタ離脱方向に移動することを特徴とする請求項３に記載の低挿入力コネクタ。
【発明の詳細な説明】
【技術分野】
【０００１】
本発明は、低挿入力でコネクタの嵌合を可能とするコネクタ嵌合治具および低挿入力コネクタに関する。
【背景技術】
【０００２】
低挿入力でコネクタ嵌合を可能とする低挿入力コネクタとしては、例えば特許文献１に記載の低挿入力コネクタが知られている。図９に示すように、この低挿入力コネクタ５０１は、雄コネクタ５０３と、雌コネクタ５０５と、回動軸５０７とからなる。雄コネクタ５０３は、ハウジングに貫設した軸孔５０９の出口からコネクタ嵌合方向に向けて突設された左右一対の可撓アーム５１３と、可撓アーム５１３に対して直交方向に設けられた前後一対の抜け防止突起５１５とを備える。可撓アーム５１３の中間部には、軸孔５０９の内径よりも幅狭な対向幅を有する括れ部５３３を形成し、アーム先端には、それぞれ内向きの係止爪部５１１を設けている。雌コネクタ５０５には、可撓アーム５１３の係止爪部５１１に対する仮係合孔５１７と、本係合孔５１９とがコネクタ嵌合方向に順次設けられるとともに、軸孔５０９の延長上にピン状螺合突起５２１が設けられている。回動軸５０７は、ピン状螺合突起５２１に対する螺旋ねじ部５２３が細径部５２５の先端に設けられている。更に、回動軸５０７は、環状部５２７と、環状溝５２９とが細径部５２５に連成されている。環状部５２７は、抜け防止突起５１５に対する挿通溝５３１を有する。環状溝５２９は、挿通溝５３１に連通し、抜け防止突起５１５と括れ部５３３とを順次係合可能とする。
【０００３】
上記低挿入力コネクタ５０１は、雄コネクタ５０３と雌コネクタ５０５とを仮係合させた状態で、回動軸５０７の軸先端を雄コネクタ５０３の軸孔５０９に挿通させ、抜け防止突起５１５を挿通溝５３１に挿通させる。そして、可撓アーム５１３の括れ部５３３を環状溝５２９に係合させる。可撓アーム５１３の係止爪部５１１は、雌コネクタ５０５の仮係合孔５１７に係合してコネクタ相互の位置合わせを行わせる。
【０００４】
次いで、回動軸５０７の軸先端を押し込むことで、可撓アーム５１３の括れ部５３３を外側に押し拡げて係止爪部５１１の仮係合を解除する。雄コネクタ５０３の抜け防止突起５１５は、回動軸５０７の環状溝５２９に係合して細径部５２５を軸方向に固定させる。雌コネクタ５０５のピン状螺合突起５２１は、回動軸５０７の細径部５２５に位置する。
【０００５】
更に、ハンドル５３５で回動軸５０７を半回転させ、ピン状螺合突起５２１を螺旋ねじ部５２３に沿って引き上げる。ピン状螺合突起５２１は、半回転した螺旋ねじ部５２３の挿通切欠部に位置する。雄コネクタ５０３の抜け防止突起５１５は、環状部５２７の挿通溝５３１に位置させられ、雄コネクタ５０３の可撓アーム５１３は、拡開した状態で係止爪部５１１が雌コネクタ５０５の本係合孔５１９に対向して位置させられる。
【０００６】
最後に、雄コネクタ５０３及び雌コネクタ５０５から回動軸５０７の細径部５２５を引き抜く。これにより、係止爪部５１１が雌コネクタ５０５の本係合孔５１９に係合し、雄コネクタ５０３と雌コネクタ５０５がロックされる。
【先行技術文献】
【特許文献】
【０００７】
【特許文献１】特許第２６１３９９８号公報
【発明の概要】
【発明が解決しようとする課題】
【０００８】
しかしながら、上記の低挿入力コネクタ５０１は、雄コネクタ５０３に可撓アーム５１３、係止爪部５１１、抜け防止突起５１５及び括れ部５３３を、雌コネクタ５０５に仮係合孔５１７、本係合孔５１９及びピン状螺合突起５２１を形成しなければならない。このため、一体成形し難い特殊形状部が多く、ハウジング構造が複雑となり、大型化の要因ともなった。また、限られたスペースにおいては、ピン状螺合突起５２１に係合する螺旋ねじ部５２３のリード角を小さくできないため、操作力を十分に軽くすることができなかった。
【０００９】
本発明は上記状況に鑑みてなされたもので、その目的は、複雑なハウジング構造を設けることなく、軽い操作力でコネクタを嵌合できるコネクタ嵌合治具および低挿入力コネクタを提供することにある。
【課題を解決するための手段】
【００１０】
前述した目的を達成するために、本発明に係るコネクタ嵌合治具及び低挿入力コネクタは、下記（１）〜（７）を特徴としている。
（１）  第１ハウジングと第２ハウジングとを低挿脱力で着脱するためのコネクタ嵌合治具であって、治具本体と、前記治具本体に設けられた第１回転支軸により基端部が回転可能に支持され、自由端部に形成された係止部が前記第１ハウジング及び前記第２ハウジングにそれぞれ形成された第１係合部又は第２係合部の被係止部に対して引き上げ方向に係止可能な第１支持軸と、前記治具本体に設けられた第２回転支軸により基端部が回転可能に支持され、自由端部に形成された押圧部が前記第２ハウジング及び前記第１ハウジングにそれぞれ形成された第２係合部又は第１係合の被押圧部に対して当接可能な第２支持軸と、を備え、前記第１支持軸の係止部を支点として前記第２支持軸を押し下げることにより、前記第１ハウジングと前記第２ハウジングをコネクタ嵌合方向に沿って相対移動させること。
（２）  上記（１）の構成のコネクタ嵌合治具において、前記治具本体が、前記第２回転支軸を挟んで前記第１回転支軸の反対側に延設された取っ手部を有すること。
（３）  上記（２）の構成のコネクタ嵌合治具において、前記係止部が、前記第２支持軸側の第１支持軸側面に突設された係止突起を有すること。
（４）  第１ハウジングと第２ハウジングとが低挿脱力で着脱される低挿入力コネクタであって、前記第１ハウジングの嵌合面側に突設され、前記第２ハウジングのコネクタ嵌合方向に貫設された軸孔を貫通する貫通軸と、前記貫通軸の貫通先端部に設けられた第１係合部に形成された被係止部と、前記軸孔が開口された前記第２ハウジングの外表面に設けられた第２係合部に形成された被押圧部と、を備え、前記第１係合部の被係止部を支点として前記第２係合部の被押圧部が押し下げられることにより、前記第２ハウジングがコネクタ嵌合方向に移動すること。
（５）  上記（４）の構成の低挿入力コネクタにおいて、前記第２係合部に形成された被係止部が、前記第１係合部に形成された被押圧部を支点として引き上げられることにより、前記第２ハウジングがコネクタ離脱方向に移動すること。
（６）  上記（４）の構成の低挿入力コネクタにおいて、前記第１係合部の被係止部が、前記第２係合部と反対側の第１係合部側面に形成されること。
（７）  上記（５）の構成の低挿入力コネクタにおいて、前記第２係合部の被係止部が、前記第１係合部と反対側の第２係合部側面に形成されること。
【００１１】
上記（１）の構成のコネクタ嵌合治具によれば、治具本体を操作することで、第１支持軸の係止部を支点としたてこ作用を利用して第２支持軸を押し下げることができる。これにより、第１ハウジングと第２ハウジングをコネクタ嵌合方向に沿って相対移動させることができるので、軽い操作力で第１ハウジングと第２ハウジングとを嵌合または離脱させることができる。
上記（２）の構成のコネクタ嵌合治具によれば、取っ手部の先端側を下方に押し下げることで、小さい操作力で第２支持軸を容易に押し下げることができる。
上記（３）の構成のコネクタ嵌合治具によれば、第１支持軸の係止部と第２支持軸の押圧部を近接して設けることができ、第１ハウジングと第２ハウジングを嵌合または離脱する際の嵌合方向に対して生じるハウジングの回転モーメントを抑え、抉りを防止できる。
上記（４）の構成の低挿入力コネクタによれば、例えば、上記（１）の構成のコネクタ嵌合治具を用いて、第１ハウジングの貫通軸に設けられた第１係合部の被係止部が支点となり、第２ハウジングに設けられた第２係合部の被押圧部が押し下げられると、第１ハウジングに対して第２ハウジングが下方へ押し下げられ、第１ハウジングと第２ハウジングが嵌合される。
上記（５）の構成の低挿入力コネクタによれば、例えば、上記（１）の構成のコネクタ嵌合治具を用いて、第１ハウジングの貫通軸に設けられた第１係合部の被押圧部が支点となり、第２ハウジングに設けられた第２係合部の被係止部が引き上げられると、第１ハウジングに対して第２ハウジングが上方へ引き上げられ、第１ハウジングと第２ハウジングが離脱する。
上記（６）の構成の低挿入力コネクタによれば、第１係合部の被係止部が、第２係合部と反対側の第１係合部側面に形成されて第２係合部の被押圧部に近接して配置されるので、第１ハウジングと第２ハウジングを嵌合する際の嵌合方向に対して生じるハウジングの回転モーメントを抑え、抉りを防止できる。また、支点である第２係合部の被押圧部と、作用点である第１係合部の被係止部との距離が短くなり、操作力が軽減される。
上記（７）の構成の低挿入力コネクタによれば、第２係合部の被係止部が、第１係合部と反対側の第２係合部側面に形成されて第１係合部の被押圧部に近接して配置されるので、第１ハウジングと第２ハウジングを離脱する際の離脱方向に対して生じるハウジングの回転モーメントを抑え、抉りを防止できる。また、支点である第１係合部の被押圧部と、作用点である第２係合部の被係止部との距離が短くなり、操作力が軽減される。
【発明の効果】
【００１２】
本発明に係るコネクタ嵌合治具および低挿入力コネクタによれば、複雑なハウジング構造を設けることなく、軽い操作力でコネクタを嵌合または離脱できる。
【００１３】
以上、本発明について簡潔に説明した。さらに、以下に説明される発明を実施するための形態（以下、「実施形態」という。）を添付の図面を参照して通読することにより、本発明の詳細はさらに明確化されるであろう。
【図面の簡単な説明】
【００１４】
【図１】本発明の一実施形態に係るコネクタ嵌合治具の一部分を切り欠いた側面図である。
【図２】本発明の一実施形態に係る低挿入力コネクタの分解斜視図である。
【図３】図１に示したコネクタ嵌合治具を用いたコネクタの嵌合動作を説明するための嵌合前の低挿入力コネクタの斜視図である。
【図４】図３に示したコネクタ嵌合治具及び低挿入力コネクタの一部分を切り欠いた側面図である。
【図５】図４に示した低挿入力コネクタの要部拡大図である。
【図６】図１に示したコネクタ嵌合治具を用いたコネクタの嵌合動作を説明するための嵌合後の低挿入力コネクタの斜視図である。
【図７】図６に示したコネクタ嵌合治具及び低挿入力コネクタの一部分を切り欠いた側面図である。
【図８】図１に示したコネクタ嵌合治具を用いたコネクタの離脱動作を説明するためのコネクタ嵌合治具及び低挿入力コネクタの一部分を切り欠いた側面図である。
【図９】従来の低挿入力コネクタの分解縦断面図である。
【発明を実施するための形態】
【００１５】
以下、添付図面を参照して本発明の一実施形態を詳細に説明する。
図１に示すように、本実施形態に係るコネクタ嵌合治具１１は、棒状に形成された治具本体１３と、略半円筒状の第１支持軸１５と、略円筒状の第２支持軸１７と、で構成されている。
【００１６】
治具本体１３の一端側（図１の左端側）には第１回転支軸１９が設けられ、第１回転支軸１９により第１支持軸１５の基端部２１が回転可能に支持されている。第１支持軸１５の自由端部には、後述する雄コネクタハウジング３３に形成された第１係合部５９の第１被係止部（被係止部）６３に対して引き上げ方向に係止可能な係止部であるＬ字形状の係止突起６５が形成されている。
【００１７】
また、第１回転支軸１９より他端側の治具本体１３には第２回転支軸２３が設けられ、第２回転支軸２３により第２支持軸１７の基端部２５が回転可能に支持されている。第２回転支軸２３の自由端部は、後述する雌コネクタハウジング３７に形成された第２係合部６９の第２被押圧部（被押圧部）７１に対して当接可能な押圧部７３が形成されている。
【００１８】
更に、治具本体１３は、第２回転支軸２３を挟んで第１回転支軸１９の反対側（治具本体１３の他端側）に延設された取っ手部２７を有する。
そこで、本実施形態に係るコネクタ嵌合治具１１は、第１支持軸１５の係止突起６５を支点として取っ手部２７の先端側（図１の右側）を下方に押し下げることで、小さい操作力で第２支持軸１７を容易に押し下げることができる。
【００１９】
図２に示すように、本実施形態に係る低挿入力コネクタ２９は、第１ハウジングとしての雄コネクタハウジング３３と、第２ハウジングとしての雌コネクタハウジング３７と、からなる。
【００２０】
雄コネクタハウジング３３は、上面が嵌合開口部３９となって開口する四角形のフード部４１を有し、フード部４１の内方にはフード部４１と略相似形の雄コネクタ部４３が突設されている。雄コネクタ部４３の内部には図示しない複数の接続端子が収容されている。
【００２１】
雌コネクタハウジング３７は、下方のハウジング周壁４７から雄コネクタハウジング３３のフード部４１に挿入されて嵌合される。ハウジング周壁４７の下面側には雄コネクタ部４３を受け入れる雌コネクタ部４９（図４参照）が形成される。雌コネクタ部４９の内部には図示しない複数の接続端子が収容されている。雄コネクタハウジング３３と雌コネクタハウジング３７とは、雄コネクタハウジング３３のフード部４１に雌コネクタハウジング３７のハウジング周壁４７が進入すると、雄コネクタ部４３が雌コネクタ部４９に嵌合し、接続端子同士が接続される。
【００２２】
本実施形態に係る雄コネクタハウジング３３には、嵌合面側となる雄コネクタ部４３の略中央に、嵌合方向（図２の上方向）に向かって貫通軸５３が突設される。本実施形態の貫通軸５３は、四角柱状に形成されるがこれに限定されるものではなく、半円柱や六角柱、八角柱等の多角柱であってもよい。この貫通軸５３は、雄コネクタハウジング３３と雌コネクタハウジング３７との嵌合時、雌コネクタハウジング３７のコネクタ嵌合方向に貫設された軸孔５５を貫通する。この貫通軸５３と軸孔５５は、嵌合可能に対応する断面形状を有する。
【００２３】
貫通軸５３の貫通先端部５７には、コネクタ嵌合治具１１の第１支持軸１５又は第２支持軸１７と係合する第１係合部５９が設けられている。この第１係合部５９は、第１支持軸１５の係止突起６５が引き上げ方向に係止可能となる第１被係止部６３と、第２支持軸１７の押圧部７３が当接可能となる第１被押圧部（被押圧部）７０と、を備える。この第１被係止部６３は、第１支持軸１５に形成されたＬ字形状の係止突起６５が引き上げ方向に係止できるように、第１係合部５９の側面に開口する凹部である。
【００２４】
雌コネクタハウジング３７の外表面６７には、貫設された軸孔５５に近接して第２係合部６９が突設されている。第２係合部６９は、四角柱状に形成されるがこれに限定されるものではなく、半円柱や六角柱、八角柱等の多角柱であってもよい。
【００２５】
第２係合部６９は、コネクタ嵌合治具１１の第２支持軸１７又は第１支持軸１５と係合し、第２支持軸１７の押圧部７３が当接可能となる第２被押圧部７１と、第１支持軸１５の係止突起６５が引き上げ方向に係止可能となる第２被係止部（被係止部）６８と、を備える（図８参照）。
すなわち、第１支持軸１５の係止突起６５は第２係合部６９の側面に開口する凹状の第２被係止部６８に対して引き上げ方向に係止可能である。
【００２６】
本実施係止に係る低挿入力コネクタ２９は、図３及び図４に示すように、嵌合前段階で、貫通軸５３が軸孔５５に挿通され、第１係合部５９が第２係合部６９と並んだ状態で雌コネクタハウジング３７の外表面６７に突出される。コネクタ嵌合治具１１は、この状態の第１支持軸１５の係止突起６５を支点として、第２支持軸１７を押し下げることにより、雄コネクタハウジング３３と雌コネクタハウジング３７とをコネクタ嵌合方向に移動させる。
【００２７】
そこで、コネクタ嵌合治具１１は、第１支持軸１５の係止突起６５が、第１係合部５９の第１被係止部６３に対して引き上げ方向に係止される。ここで、係止突起６５は、自由端部における第２支持軸側の第１支持軸側面７７に突設されている。一方、第１被係止部６３は、第２係合部６９と反対側の第１係合部側面７９に凹設され、第２被係止部６８は、第１係合部５９と反対側の第２係合部側面８７に凹設されている。
【００２８】
すなわち、第１係合部５９と第２係合部６９とが近接して設けられている。第１係合部５９と第２係合部６９を近接して設けることで、雄コネクタハウジング３３と雌コネクタハウジング３７を嵌合または離脱する際の嵌合方向に対して生じる回転モーメントを抑え、抉りを防止している。
【００２９】
次に、上記構成を有するコネクタ嵌合治具１１および低挿入力コネクタ２９の作用を説明する。
コネクタ嵌合治具１１を使用して雄コネクタハウジング３３と雌コネクタハウジング３７とを嵌合するには、先ず、図４に示すように、雄コネクタハウジング３３に突設された貫通軸５３が、雌コネクタハウジング３７の軸孔５５に貫通される。この状態で、雄コネクタハウジング３３のフード部４１に、雌コネクタハウジング３７のハウジング周壁４７が進入し、途中嵌合の状態となる。途中嵌合状態では、雌コネクタハウジング３７の外表面６７に、貫通軸５３の貫通先端部５７が第２係合部６９と略同じ高さで突出する。貫通軸５３の貫通先端部５７には第１係合部５９が設けられているので、第１係合部５９と第２係合部６９とは、略同じ高さで突出した状態で隣接して配置される。
【００３０】
そこで、図５に示すように、コネクタ嵌合治具１１は、第１支持軸１５の係止突起６５が、第１係合部５９の第１被係止部６３に係止され、第２支持軸１７の押圧部７３が、第２係合部６９の第２被押圧部７１に上方から当接される。
【００３１】
そして、治具本体１３の取っ手部２７が下方へ回動操作され、第１係合部５９の第１被係止部６３を支点として第２係合部６９の第２被押圧部７１が押し下げられると、第１係合部５９と第２係合部６９とには力Ｆ２が逆方向に働く。これにより、雌コネクタハウジング３７が雄コネクタハウジング３３に対してコネクタ嵌合方向に相対移動する。
この時、低挿入力コネクタ２９に取り付けられたコネクタ嵌合治具１１は、てこの原理で雄コネクタハウジング３３と雌コネクタハウジング３７とを簡単に嵌合させることができる。
【００３２】
すなわち、図４に示したように、第２回転支軸２３を支点７５とすると、支点７５と取っ手部２７の力点８１との間の距離Ｌ１は、支点７５と作用点８３である第１回転支軸１９との間の距離Ｌ２よりも大きく設定されている（Ｌ１＞Ｌ２）。ここで、力点８１に加わる力をＦ１、作用点８３で得られる力をＦ２とすると、てこの原理よりＬ１・Ｆ１＝Ｌ２・Ｆ２となる。従って、Ｌ１＞Ｌ２であるからＦ１＜Ｆ２となる。ただし、上式は単純化のため力点８１、作用点８３にかかる力が平行のときの式である。
【００３３】
このように、低挿入力コネクタ２９は、コネクタ嵌合治具１１によって、第１係合部５９の第１被係止部６３を支点として第２係合部６９の第２被押圧部７１が押し下げられることにより、雄コネクタハウジング３３と雌コネクタハウジング３７とが嵌合される。
【００３４】
また、上述したように、第１係合部５９の第１被係止部６３が、第２係合部６９の第２被押圧部７１に近接して配置されることで、雄コネクタハウジング３３と雌コネクタハウジング３７を嵌合する際の嵌合方向に対して生じる回転モーメントを抑え、抉りを防止できる。また、第２被押圧部７１と、第１被係止部６３との距離が短くなることで、取っ手部２７の操作力が軽減される。
このように、本実施形態に係るコネクタ嵌合治具１１及び低挿入力コネクタ２９では、治具本体１３の取っ手部２７を下方へ回動操作することにより、軽い操作力で雄コネクタハウジング３３と雌コネクタハウジング３７とを嵌合できる。
【００３５】
次に、コネクタ嵌合治具１１を使用して嵌合状態の雄コネクタハウジング３３と雌コネクタハウジング３７とを離脱する際には、図８に示すように、コネクタ嵌合治具１１における第１支持軸１５の係止突起６５が、第２係合部６９の第２被係止部６８に係止され、第２支持軸１７の押圧部７３が、第１係合部５９の第１被押圧部７０に上方から当接される。
【００３６】
そして、治具本体１３の取っ手部２７を下方へ回動操作すると、第１係合部５９の第１被押圧部７０が支点となって、第２係合部６９が引き上げられる。すると、てこの原理で雄コネクタハウジング３３から雌コネクタハウジング３７が引き上げられ、雄コネクタハウジング３３と雌コネクタハウジング３７が離脱されることになる。これにより、雄コネクタハウジング３３と雌コネクタハウジング３７を軽い操作力で離脱することができる。
このように、本実施形態に係るコネクタ嵌合治具１１及び低挿入力コネクタ２９では、治具本体１３の取っ手部２７を下方へ回動操作することにより、軽い操作力で雄コネクタハウジング３３と雌コネクタハウジング３７とを離脱できる。
【００３７】
従って、本実施の形態に係るコネクタ嵌合治具１１及び低挿入力コネクタ２９によれば、雄コネクタハウジング３３、雌コネクタハウジング３７に複雑な構造を設けることなく、軽い操作力で雄コネクタハウジング３３と雌コネクタハウジング３７とを嵌合又は離脱できる。
【００３８】
尚、本発明のコネクタ嵌合治具及び低挿入力コネクタに係る治具本体、第１及び第２回転支軸、取っ手部、係止部、押圧部、第１及び第２ハウジング、貫通軸、軸孔、第１及び第２係合部、被係止部、及び被押圧部等の構成部材は、上記実施形態の構成に限定されるものではなく、本発明の趣旨に基づいて種々の形態を採りうる。
【００３９】
例えば、上記実施形態においては、雄コネクタハウジング３３を第１ハウジングとし、雌コネクタハウジング３７を第２ハウジングとして説明したが、雌コネクタハウジングを第１ハウジングとし、雄コネクタハウジングを第２ハウジングとすることもできる。
また、上記実施形態においては、治具本体１３の一端側に第１支持軸１５を回転可能に支持し、治具本体１３の他端側に第２支持軸１７を回転可能に支持したが、治具本体１３の一端側に第２支持軸１７を回転可能に支持し、治具本体１３の他端側に第１支持軸１５を回転可能に支持することもできる。この場合、治具本体１３の取っ手部２７を上方へ回動操作することにより、軽い操作力で雄コネクタハウジング３３と雌コネクタハウジング３７とを嵌合方向へ相対移動させることができる。
【符号の説明】
【００４０】
１１  コネクタ嵌合治具
１３  治具本体
１５  第１支持軸
１７  第２支持軸
１９  第１回転支軸
２１  基端部
２３  第２回転支軸
２５  基端部
２７  取っ手部
２９  低挿入力コネクタ
３３  雄コネクタハウジング（第１ハウジング）
３７  雌コネクタハウジング（第２ハウジング）
５３  貫通軸
５５  軸孔
５７  貫通先端部
５９  第１係合部
６３  第１被係止部（被係止部）
６５  係止突起（係止部）
６７  外表面
６８  第２被係止部（被係止部）
６９  第２係合部
７０  第１被押圧部（被押圧部）
７１  第２被押圧部（被押圧部）
７３  押圧部
７７  第１支持軸側面
７９  第１係合部側面
８７  第２係合部側面
【図１】
0005669309.tif 000002
【図２】
0005669309.tif 000003
【図３】
0005669309.tif 000004
【図４】
0005669309.tif 000005
【図５】
0005669309.tif 000006
【図６】
0005669309.tif 000007
【図７】
0005669309.tif 000008
【図８】
0005669309.tif 000009
【図９】
0005669309.tif 000010